(57)【要約】【課題】撮影を中断することなく、撮影データを記録する。【解決手段】ビデオカメラ５００の記録媒体５１２のデータ格納可能な残り容量が所定容量以下である場合に、撮影動作において撮影回路部５０３から出力される撮影データを記録媒体５１２とデータ退避回路部５０５とに並行して格納しながら、データ退避回路部５０５からは逐次撮影データを読出し家庭用録画機６００に無線転送し、記録媒体６０６に格納する。そして、記録媒体５１２の格納データのうち、転送し終えた撮影データを記録媒体５１２から消去する。【選択図】図１
2008124814.tif 000002
【特許請求の範囲】
【請求項１】
撮影して撮影データを出力する撮影部を有する端末装置と、データ記録部を有し且つ前記端末部と通信路を介して無線通信する録画機とを備える録画システムであって、
前記端末装置は、
撮影動作において前記撮影部から与えられる前記撮影データを格納する記録媒体部と、
前記撮影動作において前記撮影部から前記記録媒体部と並行して前記撮影データが与えられて、与えられる前記撮影データを書込んで一時的に格納する一時格納部と、
前記記録媒体部のデータ格納可能な残り容量が所定容量以下である場合に、前記一時格納部から前記撮影データを読出し前記録画機器に転送する入出力部と、を備え、
前記記録媒体部に格納されたデータのうちから、前記入出力部により読出されて転送された前記撮影データを消去し、
前記録画機は、
前記端末から転送された前記撮影データを受信し、受信した前記撮影データを前記データ記録部に格納し、
前記録画機は前記データ記録部に格納されたデータの編集機能を有し、前記端末装置から前記録画機に送信される前記撮影データのサイズは、前記編集機能で取扱うデータサイズに従い決定される、または、
前記端末装置から前記録画機に送信される前記撮影データのサイズは、前記通信路について検出されるノイズ指数に従い決定され、
前記端末装置はビデオカメラであり、前記データ記録部はＨＤＤにデータを記録する、録画システム。
【請求項２】
撮影して撮影データを出力する撮影部を有する端末装置と、データ記録部を有し且つ前記端末部と通信路を介して無線通信する録画機とを備える録画システムであって、
前記端末装置は、
撮影動作において前記撮影部から与えられる前記撮影データを格納する記録媒体部と、
前記撮影動作において前記撮影部から前記記録媒体部と並行して前記撮影データが与えられて、与えられる前記撮影データを書込んで一時的に格納する一時格納部と、
前記記録媒体部のデータ格納可能な残り容量が所定容量以下である場合に、前記一時格納部から前記撮影データを読出し前記録画機器に転送する入出力部と、を備え、
前記記録媒体部に格納されたデータのうちから、前記入出力部により読出されて転送された前記撮影データを消去し、
前記録画機は、
前記端末から転送された前記撮影データを受信し、受信した前記撮影データを前記データ記録部に格納する、録画システム。
【請求項３】
前記録画機は前記データ記録部に格納されたデータの編集機能を有し、
前記端末装置から前記録画機に送信される前記撮影データのサイズは、前記編集機能で取扱うデータサイズに従い決定される、請求項２に記載の録画システム。
【請求項４】
前記端末装置から前記録画機に送信される前記撮影データのサイズは、前記通信路について検出されるノイズ指数に従い決定される、請求項２に記載の録画システム。
【請求項５】
前記端末装置はビデオカメラであり、前記データ記録部はＨＤＤにデータを記録する、請求項２に記載の録画システム。
【請求項６】
撮影して撮影データを出力する撮影部を有する端末装置であって、
受信した前記撮影データを格納するデータ記録部を有した外部器機と無線通信する入出力部と、
撮影動作において前記撮影部から与えられる前記撮影データを格納する記録媒体部と、
前記撮影動作において前記撮影部から前記記録媒体部と並行して前記撮影データが与えられて、与えられる前記撮影データを書込んで一時的に格納する一時格納部を、さらに有し、
前記記録媒体部のデータ格納可能な残り容量が所定容量以下である場合に、前記一時格納部から前記撮影データを読出し前記入出力部を介して前記録画機器に転送し、前記記録媒体部に格納されたデータのうちから、転送された前記撮影データを消去し、
前記外部器機は前記データ記録部に格納されたデータの編集機能を有し、前記端末装置から前記外部器機に送信される前記撮影データのサイズは、前記編集機能で取扱うデータサイズに従い決定される、または、
前記端末装置から前記外部器機に送信される前記撮影データのサイズは、無線通信路について検出されるノイズ指数に従い決定され
前記端末装置はビデオカメラであり、前記データ記録部はＨＤＤにデータを記録する、端末装置。
【請求項７】
撮影して撮影データを出力する撮影部を有する端末装置であって、
受信した前記撮影データを格納するデータ記録部を有した外部器機と無線通信する入出力部と、
撮影動作において前記撮影部から与えられる前記撮影データを格納する記録媒体部と、
前記撮影動作において前記撮影部から前記記録媒体部と並行して前記撮影データが与えられて、与えられる前記撮影データを書込んで一時的に格納する一時格納部を、さらに有し、
前記記録媒体部のデータ格納可能な残り容量が所定容量以下である場合に、前記一時格納部から前記撮影データを読出し前記入出力部を介して前記録画機器に転送し、前記記録媒体部に格納されたデータのうちから、転送された前記撮影データを消去する、端末装置。
【請求項８】
前記外部器機は前記データ記録部に格納されたデータの編集機能を有し、
前記端末装置から前記外部器機に送信される前記撮影データのサイズは、前記編集機能で取扱うデータサイズに従い決定される、請求項７に記載の端末装置。
【請求項９】
前記端末装置から前記外部器機に送信される前記撮影データのサイズは、無線通信路について検出されるノイズ指数に従い決定される、請求項７に記載の端末装置。
【請求項１０】
前記端末装置はビデオカメラであり、前記データ記録部はＨＤＤにデータを記録する、請求項７に記載の端末装置。
【発明の詳細な説明】
【技術分野】
【０００１】
この発明は録画システムに関し、特に、外部のカメラで撮影したデータを無線により録画機器に転送し、録画機器の記録媒体に記録する録画システムに関する。
【背景技術】
【０００２】
外部のカメラで撮影した映像を録画装置に転送して、録画装置の記録媒体に記録するためのさまざまな技術が提案されている。
【０００３】
たとえば、特許文献１では、電子カメラが開示される。電子カメラは、撮影された画像を電子カメラ内の記録媒体に記録し、外部のファイル保管装置と電子カメラとの間で無線通信が可能になると、記録媒体に記録されている画像がファイル保管装置に自動的に転送される。ファイルの転送中も撮影開始の指示を入力することができ、新たに撮影開始の指示を受けると無線通信を中断する。また、ファイル保管装置への転送が成功すると、その画像は記録媒体から削除される。
【０００４】
また、特許文献２の動画像蓄積装置では、外部のビデオカメラから動画像データが転送される。ビデオカメラ内の第１の記録媒体から動画像蓄積装置のＨＤＤ（Hard Disk）に動画データをダビングする際に、第１記録媒体とＨＤＤにダビングした区間を示す複写情報を記憶させる。そして、この複写情報に基づいてＨＤＤにダビングした動画データを第１の記録媒体から自動的に削除する。また、削除は第１の記録媒体の空き容量が所定値以下となった場合に行なわれる。
【特許文献１】特開２００３−２６４７２９号公報
【特許文献２】特開２００４−５６３９６号公報
【発明の開示】
【発明が解決しようとする課題】
【０００５】
特許文献１は、電子カメラの記録媒体に記録されている画像を、無線通信を介してファイル保管装置に転送する構成を有するが、ファイル送信は、撮影を行なっていない期間に実施されるものである。したがって、ファイル送信と撮影とを並行して行なうことができないために、ファイル送信するために、撮影を一旦中断しなければならないという不都合がある。
【０００６】
また、特許文献２では、ビデオカメラ内の第１の記録媒体から動画蓄積装置のＨＤＤに動画データをダビングし、ダビングが終えた第１の記録媒体の動画データを削除している。しかしながら、ビデオカメラの撮影中であっても、動画データを動画蓄積装置に転送するとの構成は有していないので、ダビングのための動画データの転送期間は、撮影が中断されるという不都合がある。
【０００７】
このように、従来技術の特許文献１および２の構成では、カメラで撮影中に、撮影したデータの転送を並行して行なうことができないために、ビデオカメラに搭載している記録媒体の残容量を気にしながらの撮影とならざるを得ず、使い勝手に優れなかった。
【０００８】
それゆえにこの発明の目的は、撮影を中断することなく、撮影データを外部の録画機に転送し、ここに記録させることができる録画システムを提供することである。
【課題を解決するための手段】
【０００９】
この発明のある局面に従うと、撮影して撮影データを出力する撮影部を有する端末装置と、データ記録部を有し且つ端末部と通信路を介して無線通信する録画機とを備える録画システムにおいては、端末装置は、撮影動作において撮影部から与えられる撮影データを格納する記録媒体部と、撮影動作において撮影部から記録媒体部と並行して撮影データが与えられて、与えられる撮影データを書込んで一時的に格納する一時格納部と、記録媒体部のデータ格納可能な残り容量が所定容量以下である場合に、一時格納部から撮影データを読出し録画機器に転送する入出力部と、を備え、記録媒体部に格納されたデータのうちから、入出力部により読出されて転送された撮影データは消去される。
【００１０】
そして、録画機は、端末から転送された撮影データを受信し、受信した撮影データをデータ記録部に格納する。
【００１１】
好ましくは、録画機はデータ記録部に格納されたデータの編集機能を有し、端末装置から録画機に送信される撮影データのサイズは、編集機能で取扱うデータサイズに従い決定される。
【００１２】
好ましくは、端末装置から録画機に送信される撮影データのサイズは、通信路について検出されるノイズ指数に従い決定される。
【００１３】
この発明の他の局面に従うと、撮影して撮影データを出力する撮影部を有する端末装置は、受信した撮影データを格納するデータ記録部を有した外部器機と無線通信する入出力部と、撮影動作において撮影部から与えられる撮影データを格納する記録媒体部と、撮影動作において撮影部から記録媒体部と並行して撮影データが与えられて、与えられる撮影データを書込んで一時的に格納する一時格納部を、さらに有し、記録媒体部のデータ格納可能な残り容量が所定容量以下である場合に、一時格納部から撮影データを読出し入出力部を介して録画機器に転送し、記録媒体部に格納されたデータのうちから、転送された撮影データを消去する。
【００１４】
好ましくは、外部器機はデータ記録部に格納されたデータの編集機能を有し、端末装置から外部器機に送信される撮影データのサイズは、編集機能で取扱うデータサイズに従い決定される。
【００１５】
好ましくは、端末装置から外部器機に送信される撮影データのサイズは、無線通信路について検出されるノイズ指数に従い決定される。
【発明の効果】
【００１６】
本発明によれば、端末装置の記録媒体部のデータ格納可能な残り容量が所定容量以下である場合に、撮影動作において撮影データを記録媒体部と一時格納部とに並行して格納しながら、一時格納部からは逐次撮影データを読出し録画機に転送しここに格納し、そして、転送し終えた撮影データは記録媒体部から消去するようにしている。
【００１７】
したがって、撮影データを高解像度で記録媒体部に録画しようとすれば、記録媒体部の記憶容量を消費しやすい。そこで、撮影データを記録媒体部に格納するのに代替して、撮影動作に並行して撮影データを録画機に転送してデータ記録部に格納することにより、ユーザは、記録媒体部の残容量を気にすること無く（記録媒体部が着脱自在であれば、記録媒体部のチェンジ操作による撮影中断もなく）解像度を維持しながら撮影データを録画することができる。
【発明を実施するための最良の形態】
【００１８】
以下、この発明の実施の形態について図面を参照し詳細に説明する。
本実施の形態では、ビデオカメラで撮影した映像データと音声データを、ビデオカメラが搭載する記録媒体のデータを記録可能な残り容量（以下、残容量という）に応じて、家庭用録画機に映像データと音声データを転送することが可能な構成を有する。これにより、ビデオカメラの撮影時間やビデオカメラに搭載する記録媒体の残容量を気にすることなくユーザは長時間の撮影とデータの保存および管理が可能となる。
【００１９】
また、本実施の形態では、撮影がされて記録および出力されるデータには音声データと映像データが含まれるが、説明を簡単にするために、撮影データは映像データを指すと想定する。
【００２０】
図１を参照して本実施の形態に係る録画システムは、家庭内など、商用電源からの安定な電力供給を受けることが可能な環境において構成される。録画システムは、ビデオカメラ５００と家庭用録画機６００とを備える。ビデオカメラ５００と家庭用録画機６００とは、ＰＨＳ（Personal Handy Phone System）、Bluetooth、無線ＬＡＮ（Local Area Network）などの双方向通信を行なう。
【００２１】
ビデオカメラ５００は、撮影のための被写体からの反射光が入射するレンズ５０１、音声を収集するためのマイク５０２、撮影回路部５０３、記録信号処理回路部５０４、データの一時的な格納部に相当のデータ退避回路部５０５、タイマ５０６、ＣＰＵ（Central Processing Unit）５０７、入力部５０８、メモリ５０９、インターフェイス回路部５１０、無線通信部５１６を有する入出力回路部５１１、ＤＶＤ（Digital Versatile Disc）からなる記録媒体５１２、映像データおよび音声データの再生回路部５１３、再生回路部５１３により再生された音声を出力するためのスピーカ５１４および再生された映像を表示するためのモニタ５１５を備える。
【００２２】
撮影回路部５０３は、レンズ５０１およびマイク５０２から出力される信号を処理して、映像信号および音声信号として記録信号処理回路部５０４に出力する。記録信号処理回路部５０４は、与えられる映像信号および音声信号を記録ためのデータに変換する。記録信号処理回路部５０４から出力された映像データおよび音声データは、データ退避回路部５０５に出力されるとともに、インターフェイス回路部５１０を介して記録媒体５１２に与えられる。
【００２３】
ここでは、記録媒体５１２は、ＤＶＤ−ＲＷ、ＲＡＭから構成されても良い。
データ退避回路部５０５は、不揮発性のメモリからなり、記録信号処理回路部５０４から入力したデータを記憶する。記録媒体５１２には、記録信号処理回路部５０４から出力された音声データおよび映像データが、インターフェイス回路部５１０によって記録される。入出力回路部５１１は、データ退避回路部５０５から読出されたデータを入力して、無線通信部５１６により無線信号に変換し、家庭用録画機６００に送信する。また、入出力回路部５１１は、インターフェイス回路部５１０によって、記録媒体５１２から読出された音声データおよび映像データを入力し、無線信号に変換して、家庭用録画機６００に送信する。無線通信のために無線通信部５１６が用いられる。
【００２４】
再生回路部５１３は、記録媒体５１２から読出した音声データおよび映像データを再生処理する。再生処理された音声はスピーカ５１４を介して出力されるとともに再生された映像（画像）はモニタ５１５を介して出力される。また、再生回路部５１３は、再生された信号をインターフェイス回路部５１０に与えることもできる。インターフェイス回路部５１０は、再生回路部５１３から入力した信号を、入出力回路部５１１に出力するので、入出力回路部５１１では無線通信部５１６は入力信号を無線信号に変換し、家庭用録画機６００に送信する。
【００２５】
ＣＰＵ５０７は、メモリ５０９に予め記憶されたプログラムまたはデータに従い、ビデオカメラ５００の各部を制御する。また、ＣＰＵ５０７は、ユーザの外部操作を受付けて、外部操作により与えられる指示を入力するための入力部５０８を接続する。またＣＰＵ５０７は、タイマ５０６を接続し、タイマ５０６によって計時される現在時間を入力する。
【００２６】
なお、ビデオカメラ５００では、データ退避回路部５０５からデータを読出し家庭用録画機６００に転送する単位時間あたりのデータ量は、撮影データがデータ退避回路部５０５または記録媒体５１２に書込まれる単位時間あたりのデータ量よりも少ないと想定する。
【００２７】
家庭用録画機６００は、家庭用録画機６００内の各部を制御するためのＣＰＵ６０１、プログラムおよびデータを予め格納するメモリ６０２、およびユーザにより外部操作されて外部操作により与えられる指示を入力するための入力部１２２を備える。
【００２８】
家庭用録画機６００は、さらに、音声データおよび映像データを記録するためのＨＤＤの記録媒体６０６、記録媒体６０６に記録する信号を処理するための記録信号処理回路部６０５、インターフェイス回路部６０４、モニタ４０２およびスピーカ４０１を接続する再生回路部６０３、ならびに作業メモリ部６０７を備える。
【００２９】
入出力回路部６０８は無線通信部６０９を有する。ビデオカメラ５００から送信された無線信号は無線通信部６０９により受信される。受信された無線信号は、入出力回路部６０８によりデータに変換されて、インターフェイス回路部６０４に与えられる。また、変換されたデータは作業メモリ部６０７に与えられる。インターフェイス回路部６０４は、入出力回路部６０８から入力したデータを再生回路部６０３に与えるとともに、記録信号処理回路部６０５に与える。したがって、再生回路部６０３により、受信された映像データおよび音声データがモニタ４０２およびスピーカ４０１を介して画像（映像）ならびに音声として出力されるとともに、記録信号処理回路部６０５を介して記録媒体６０６に記録される。
【００３０】
タイマ６１０は現在時間を計時して、計時した時間データをＣＰＵ６０１に出力する。
入出力回路部６０８から出力されたデータは、作業メモリ部６０７に与えられる。記録信号処理回路部６０５は、作業メモリ部６０７に一旦格納されたデータについて、ＣＲＣ（cyclic redundancy check）を行なって、データが正しく伝送されているか否かをチェックするエラー検出のための機能を有する。エラー検出方式は、ここでは、ＣＲＣを適用するとしたが、これに限定されるものではない。
【００３１】
記録信号処理回路部６０５は、インターフェイス回路部６０４を介して入出力回路部６０８から与えられるデータを記録媒体６０６に記録する。
【００３２】
図２には、ビデオカメラ５００のメモリ５０９の一部の構成が示される。メモリ５０９には、無線通信のためのビデオカメラ５００のアドレスを指示する自己アドレス８０１、記録媒体６０６（ＨＤＤ）の残容量がデータを記録するのに十分であるか否かを判断するための閾値を指すＨＤＤ容量閾値データ８０２、通信相手である家庭用録画機６００のアドレスを指示する相手アドレス８０３、記録媒体５１２（ＤＶＤ）の残容量がデータを記録するのに十分であるか否かを判定するためのＤＶＤ容量閾値データ８０４およびチャプタサイズデータ８０５を格納する。ビデオカメラ５００から家庭用録画機６００にデータが転送される場合、データは家庭用録画機６００で一意に定まるチャプタサイズに従い転送される。このチャプタサイズを示すために、メモリ５０９には予めチャプタサイズデータ８０５が格納される。
【００３３】
図３には、家庭用録画機６００のメモリ６０２の一部の内容例が示される。図３を参照してメモリ６０２には、家庭用録画機６００を無線通信において一意に識別するための自己アドレス９０１、無線通信において、通信相手であるビデオカメラ５００を一意に識別するための相手アドレス９０３、チャプタサイズデータ９０４およびＨＤＤ残容量閾値データ９０５を予め格納する。ＨＤＤ残容量閾値データ９０５とＨＤＤ容量閾値データ８０２とは、同じ値を指す。
【００３４】
なお、ここでは、工場出荷時などにおいて、メモリ５０９と６０２のそれぞれには、自己アドレス８０１と９０１が予め格納されていると想定する。さらには、メモリ６０２には、工場出荷時などにおいて、家庭用録画機６００におけるデータの編集単位に従うチャプタのサイズを指示するチャプタサイズデータ９０４が予め格納されていると想定する。
【００３５】
図４〜図７には、本実施の形態に係る撮影動作と撮影データの転送の処理手順がフローチャートで示される。なお、これらフローチャートでは、説明を簡単にするために撮影動作が開始されると記録媒体５１２または６０６の残容量がゼロ（データの格納可能な容量がない状態）となるまで撮影動作は継続すると想定する。
【００３６】
ビデオカメラ５００と家庭用録画機６００は、それぞれ電源が投入されると、図４の処理を開始する。
【００３７】
まず、ビデオカメラ５００は電源が投入されると、各種設定処理がなされる（ステップＳ３）。具体的には、ユーザが入力部５０８を操作して与える指示に基づき、ＣＰＵ５０７は、通信相手となる家庭用録画機のアドレスを入力し、相手アドレス８０３としてメモリ５０９に格納する。また、ユーザは入力部５０８を介して記録媒体５１２のＤＶＤの残容量が十分であるか否かを判定するための基準となる閾値データを入力するので、入力データをＣＰＵ５０７はＤＶＤ容量閾値データ８０４としてメモリ５０９に格納する。また、ユーザは同様にして家庭用録画機６００の残容量が十分であるか否かを判断するための閾値を指示するデータを入力するので、これをＣＰＵ５０７はＨＤＤ容量閾値データ８０２としてメモリ５０９に格納する。
【００３８】
次に、ＣＰＵ５０７は、データ転送が許可されているか否かを判定する（ステップＳ５）。具体的には、入力部５０８を介したユーザの入力に基づき、データ転送が許可されているか否かを判定する。許可されていないと判定すると（ステップＳ５でＮＯ）、後述する図７のＳ８５以降の処理を実行するが、許可されていると判定すると（ステップＳ５でＹＥＳ）、転送許可通知を生成して、インターフェイス回路部５１０を介し、入出力回路部５１１により、家庭用録画機６００に宛てて送信する（ステップＳ７）。転送許可通知のヘッダにはメモリ５０９から読出された相手アドレス８０３と自己アドレス８０１が付加されている。なお、以降の説明において、ビデオカメラ５００から家庭用録画機６００に送信されるデータには、送信先アドレスを指す相手アドレス８０３と送信元アドレスを指す自己アドレス８０１が付加されて送信されると想定する。
【００３９】
家庭用録画機６００では、ビデオカメラ５００から送信された転送許可通知を入出力回路部６０８の無線通信部６０９により受信し、インターフェイス回路部６０４に出力されるので、ＣＰＵ６０１は、インターフェイス回路部６０４を介して与えられる転送許可通知を処理する。ＣＰＵ６０１は、転送許可通知に付された送信元を指す自己アドレス８０１をメモリ６０２に相手アドレス９０３として格納するとともに、転送許可通知に付されていた相手アドレス８０３と、メモリ６０２から読出した自己アドレス９０１を比較する。比較結果に基づき、両者が一致していると判定すると、当該転送許可通知は自己宛てのものと判定して当該転送許可通知を受理するが、一致していないと判定すると自己宛の通知ではないと判定し、当該転送許可通知を破棄する（ステップＴ１）。
【００４０】
ＣＰＵ６０１は、転送許可通知を受理すると、応じて、記録信号処理回路部６０５を介して、記録媒体６０６の残容量を検出する。記録媒体６０６の所定の記憶領域には、現在の残容量データが記録されており、それを読出すことにより、ＣＰＵ６０１は記録媒体６０６の現在の残容量データを取得できる。
【００４１】
ＣＰＵ６０１は、残容量データを取得すると、取得した残容量データとメモリ６０２から読出したチャプタサイズデータ９０４とを、インターフェイス回路部６０４および入出力回路部６０８を介して、無線信号に変換し、ビデオカメラ５００に送信する。
【００４２】
この送信信号のヘッダには、ＣＰＵ６０１がメモリ６０２から読出した自己アドレス９０１および相手アドレス９０３が送信元アドレスおよび送信先アドレスとして付加されている。なお、以降の説明において、家庭用録画機６００からビデオカメラ５００に送信されるデータには、送信先アドレスを指す相手アドレス８０３と送信元アドレスを指す自己アドレス８０１が付加されて送信されると想定する。
【００４３】
ビデオカメラ５００のＣＰＵ５０７は、入出力回路部５１１を介して、記録媒体（ＨＤＤ）６０６の残容量データおよびチャプタサイズデータ９０４を家庭用録画機６００から受信すると、受信したチャプタサイズデータ９０４を、メモリ５０９にチャプタサイズデータ８０５として記憶する（ステップＳ９）。
【００４４】
続いて、ＣＰＵ５０７は、受信した記録媒体６０６の残容量データに基づき、残容量が十分であるか否かを判定する（ステップＳ１１）。具体的には、受信した残容量データと、メモリ５０９から読出したＨＤＤ容量閾値データ８０２とを比較し、比較結果に基づき（残容量データ＞ＨＤＤ容量閾値データ８０２）であると判定すると（ステップＳ１１でＹＥＳ）、記録媒体６０６の残容量が十分であると判定し、後述のステップＳ１３の処理に移行するが、比較結果に基づき（残容量データ≦ＨＤＤ容量閾値データ８０２）と判定すると（ステップＳ１１でＮＯ）、記録媒体６０６の残容量は十分ではないと判定し、後述するステップＳ８３以降の処理に移る。
【００４５】
ステップＳ１３においては、ＣＰＵ５０７は、テストデータを生成し、生成したテストデータを入出力回路部５１１を経由し、家庭用録画機６００に無線送信する。
【００４６】
家庭用録画機６００は、ビデオカメラ５００からテストデータを受信する（ステップＴ７）。入出力回路部６０８により受信されたテストデータはＣＰＵ６０１に与えられるので、ＣＰＵ６０１は、テストデータを解析して、解析結果に基づき正常に受信できていたか否かを判定し、その判定結果（テストデータ受信良好またはテストデータ受信不良）を受信結果として、入出力回路部６０８を経由し、ビデオカメラ５００に送信する（ステップＴ９）。
【００４７】
なお、ビデオカメラ５００に残容量データおよびチャプタサイズデータ９０４を送信した（ステップＴ３）後からの経過時間はタイマ６１０により計時されており、ＣＰＵ６０１は、タイマ６１０から入力する計時時間に基づき、残容量データおよびチャプタサイズデータ９０４を送信終了後の所定期間を経過した後も、テストデータなどの返信をビデオカメラ５００から受信できないと判定した場合には、受信結果として、テストデータ受信不良の結果を送信する。
【００４８】
ビデオカメラ５００は、家庭用録画機６００から、テストデータの受信結果を受信すると（ステップＳ１５）、その受信結果に基づき、受信が良好であったか否かを判定する（ステップＳ１７）。受信が良好でない場合には、すなわちビデオカメラ５００と家庭用録画機６００との間の無線通信回線に何らかの支障が生じている（ノイズが多量に混入しているなど）してテストデータが家庭用録画機６００で受信できなかった場合には（ステップＳ１７でＮＯ）、処理はステップＳ８３以降に移る。一方、テストデータの受信が良好であったと判断されると（ステップＳ１７でＹＥＳ）、ＣＰＵ５０７は、記録媒体６０６へのデータの録画開始の要求を生成して、家庭用録画機６００に送信する（ステップＳ１９）。
【００４９】
なお、家庭用録画機６００にテストデータを送信した（ステップＳ１３）後からの経過時間はタイマ５０６により計時されており、ＣＰＵ５０７は、タイマ５０６から入力する計時時間に基づき、テストデータを送信終了後の所定期間を経過した後も、何らかの返信を家庭用録画機６００から受信できないと判定した場合には、受信結果として、テストデータ受信不良と判定してもよい。
【００５０】
家庭用録画機６００のＣＰＵ６０１は、入出力回路部６０８を介し録画開始要求を受信すると（ステップＴ１１）、ユーザによって、入力部１２２の図示のない録画ボタンが操作されて録画指示が入力されているか否かを判定する（ステップＴ１３）。ユーザが、録画ボタンを操作せず録画指示が入力されない間は（ステップＴ１３でＮＯ）、操作入力の待ち状態となる。操作されて録画指示が入力されると（ステップＴ１３でＹＥＳ）、ＣＰＵ６０１は、録画開始通知を生成して、インターフェイス回路部６０４および入出力回路部６０８を介してビデオカメラ５００に送信する（ステップＴ１５）。
【００５１】
ビデオカメラ５００のＣＰＵ５０７は、家庭用録画機６００から録画開始通知を受信すると（ステップＳ２１）、入力部５０８を介して撮影開始のボタン操作がされて撮影開始指示が入力されているか否かを判定する（ステップＳ２３）。撮影開始のボタン操作がされず撮影開始指示が入力されていないと判定されると（ステップＳ２３でＮＯ）、一連の処理は終了する。一方、撮影開始のボタン操作がされて撮影開始指示が入力されていると判定すると（ステップＳ２３でＹＥＳ）、ＣＰＵ５０７は、撮影回路部５０３を、レンズ５０１およびマイク５０２から与えられる信号を入力して処理を開始するように制御する。これにより、撮影動作が開始する（ステップＳ２５）。
【００５２】
撮影動作が開始されると、撮影により入力する映像信号および音声信号が撮影回路部５０３を介して記録信号処理回路部５０４に逐次与えられる。このとき、ＣＰＵ５０７は、記録媒体５１２の所定の記憶領域に格納された記録媒体５１２の残容量データをインターフェイス回路部５１０を介して読出し、読出した残容量データと、メモリ５０９から読出したＤＶＤ容量閾値データ８０４とを比較し、その比較結果に基づき、記録媒体５１２の残容量が十分にあるか否かを判定する（ステップＳ２９）。たとえば、比較結果に基づき（読出した残容量データ＞ＤＶＤ容量閾値データ８０４）が成立すると判定すると、残容量は十分であると判定されて（ステップＳ２９でＹＥＳ）、撮影動作が繰返される（ステップＳ３１）。
【００５３】
撮影動作中には記録信号処理回路部５０４で処理されて出力された映像データおよび音声データは、インターフェイス回路部５１０を介して記録媒体５１２に格納されるとともに、データ退避回路部５０５にも格納される。記録媒体５１２およびデータ退避回路部５０５には、記録信号処理回路部５０４において、ＣＰＵ５０７から与えられるタイマ５０６が計時する現在の時間情報（当該データの撮影時間を指す情報）が付されたデータが格納される。
【００５４】
データ退避回路部５０５は、所定の記憶容量を有する。この所定の記憶容量は、ＤＶＤ容量閾値データ８０４により指示されるサイズ以上の記憶容量を指すと想定する。
【００５５】
データ退避回路部５０５のデータは読出されて、家庭用録画機６００に転送される。その場合には、ＣＰＵ５０７は記録信号処理回路部５０４を介してデータ退避回路部５０５から上述の時間情報が付されたデータを読出し、読出したデータを、インターフェイス回路部５１０および入出力回路部５１１を介して家庭用録画機６００に送信する。
【００５６】
データ退避回路部５０５はＦＩＦＯ（First In First Out)またはＬＩＦＯ（Last In First Out)によりデータの読書きがされる。データが読出されると読出されたデータの領域は、記録信号処理回路部５０４から入力した新たなデータを時間情報を付して書込む領域に供される。
【００５７】
次にＣＰＵ５０７は、家庭用録画機６００との通信回線の状態を確認するために、前述した手順と同様に、テストデータの送信とその受信結果の確認とを行なう（ステップＳ３３、Ｓ３５、Ｔ２１およびＴ２３）。
【００５８】
ＣＰＵ５０７は、家庭用録画機６００から受信したテストデータの受信結果に基づき、通信回線の状態が良好であるか否か、すなわち、データを転送可能な状態であるか否かを判定する（ステップＳ３７）。通信回線状態が良好と判定されると、ステップＳ４５以降の処理においてデータ退避回路部５０５からデータを読出し家庭用録画機６００に転送する動作と撮影動作とが並行して行なわれる。しかし、通信回線状態が良好ではない、すなわちデータの転送をすることができない回線状態であると判定されると（ステップＳ３７でＮＯ）、撮影動作を行ないながら（ステップＳ３９）、ＣＰＵ５０７は記録媒体５１２の残容量を確認する。ＣＰＵ５０７が記録媒体５１２の残容量がゼロを指す、すなわち記録媒体５１２がＦＵＬＬ状態であるためにこれ以上データの格納ができない状態になったと判定すると（ステップＳ４１でＹＥＳ）、後述するステップＳ７９以降の処理に移る。一方、ＣＰＵ５０７が記録媒体５１２の残容量がゼロを指さない、すなわち記録媒体５１２はＦＵＬＬ状態ではなく更なるデータの格納ができる状態であると判定すると（ステップＳ４１でＮＯ）、記録媒体５１２の残容量を確認（ステップＳ４１）しながら撮影回路部５０３を用いた撮影動作を継続して行なう（ステップＳ３９）。
【００５９】
通信回線状態が良好と判定された場合には（ステップＳ３７でＹＥＳ）、ステップＳ４５において、撮影動作が行なわれながら、ＣＰＵ５０７は、データ退避回路部５０５から撮影されたデータを読出し、家庭用録画機６００に転送する（ステップＳ４９）。
【００６０】
家庭用録画機６００は、ビデオカメラ５００から転送される撮影データを、入出力回路部６０８を介して受信する（ステップＴ２５）。受信データは、作業用メモリ部６０７に格納されるとともに、インターフェイス回路部６０４を介して、再生回路部６０３で再生処理され、モニタ４０２で再生画像が表示され、スピーカ４０１で音声が再生出力される。
【００６１】
このとき、記録信号処理回路部６０５は、ＣＰＵ６０１の制御の下に、作業メモリ部６０７に格納された受信データについてＣＲＣを行ない、誤り検出処理を行なう。このときの誤り検出結果が、チェック結果として、ＣＰＵ６０１の制御のもとにビデオカメラ５００に送信される（ステップＴ２９）。
【００６２】
また、ＣＰＵ６０１は、ＣＲＣの結果に基づき誤りが検出されていないと判定すると（ステップＴ３１でＹＥＳ）、入出力回路部６０８で受信したデータをインターフェイス回路部６０４および記録信号処理回路部６０５を介して記録のための信号処理をし、処理された信号を記録媒体６０６に格納（録画）する（ステップＴ３３）。受信データに誤りが検出されたと判定されると（ステップＴ３１でＮＯ）、受信データの録画動作（ステップＴ３３）はスキップされてステップＴ３５の処理に移行する。
【００６３】
一方、ビデオカメラ５００のＣＰＵ５０７は、入出力回路部５１１およびインターフェイス回路部５１０を介して家庭用録画機６００から送信されたチェック結果を受信する（ステップＳ５３）。
【００６４】
ＣＰＵ５０７は、受信したチェック結果に基づき家庭用録画機６００において撮影データが正常に受信できたと判定すると（ステップＳ５５でＹＥＳ）、ステップＳ５９の処理に移行する。
【００６５】
受信したチェック結果に基づき家庭用録画機器６００において正常にデータ受信できなかったと判定すると（ステップＳ５５でＮＯ）、前述したステップＳ３９の処理に移行し撮影動作が継続して行なわれる。したがって、撮影動作中に撮影データを家庭用録画機器６００に転送するが、家庭用録画機器６００において転送データが正常に受信できなかったことが検出された場合には、以降のデータ転送は中止されて撮影動作のみが行なわれる。
【００６６】
ステップＳ５３で受信したチェック結果に基づき、データ転送が正常に行なわれていると判定された場合には、撮影データを、家庭用録画機６００に継続して転送するか否かが判定される（ステップＳ５９）。
【００６７】
ここでは、撮影データ（記録媒体５１２に記録されるデータ）は、メモリ５０９に格納されているチャプタサイズデータ８０５が指示する容量のデータが１群となって、家庭用録画機６００に転送される。したがって、ＣＰＵ５０７はチャプタサイズデータ８０５を用いてデータ転送を継続するか否かを判定する（ステップＳ５９）。具体的には、ＣＰＵ５０７は撮影データ転送を開始してからの転送データ量をカウントしており、カウント値とチャプタサイズデータ８０５が指示するデータ容量とを比較して、比較結果に基づきデータ転送を継続するか否かを判定する。比較結果が（カウント値＜チャプタサイズデータ８０５が指示するデータ容量）を指示すると判定するとデータ転送を継続するために（ステップＳ５９でＹＥＳ）、ステップＳ３３の処理に戻り、以降の処理を前述と同様に行ない撮影動作とともに撮影データ転送を行なう。
【００６８】
一方、比較結果が（カウント値≧チャプタサイズデータ８０５が指示するデータ容量）を指示すると判定するとデータ転送を一旦中断して（ステップＳ５９でＮＯ）、ＣＰＵ５０７は、インターフェイス回路部５１０を介して記録媒体５１２の記録データのうち、データ退避回路部５０５から読出されて家庭用録画機６００に転送されたデータ（たとえば、チャプタサイズデータ８０５が指示する容量分のデータ）を消去する（ステップＳ６３）。これにより、記録媒体５１２の残容量については、消去されたデータ容量分は増加（回復）する。なお、この間も撮影動作は行なわれているので、記録媒体５１２のデータ消去は、転送済みのデータの領域に、新たに入力した撮影データを上書きする動作を指す。  
【００６９】
ＣＰＵ５０７はチャプタサイズ分のデータを転送終了する毎に、次のチャプタサイズ分の転送データをカウントするためにカウンタの値をリセットする。
【００７０】
次に、ＣＰＵ５０７は、残容量の問合せデータを生成して家庭用録画機６００に送信する（ステップＳ６５）。
【００７１】
家庭用録画機６００は、ビデオカメラ５００から残容量の問合せデータを受信すると、ＣＰＵ６０１は、受信した問合せデータに基づき、記録信号処理回路部６０５を介して記録媒体６０６の所定記憶領域に格納された残容量データを読出し、読出した残容量データをビデオカメラ５００に転送する（ステップＴ３７、Ｔ３９）。
【００７２】
ビデオカメラ５００のＣＰＵ５０７は、家庭用録画機６００から残容量データを受信し（ステップＳ６７）、受信した残容量データと、メモリ５０９から読出したＨＤＤ容量閾値データ８０２とに基づきステップＳ１１と同様にして残容量が十分であるかを判定する（ステップＳ６９）。残容量は十分であると判定すると（ステップＳ６９でＹＥＳ）、ステップＳ３１の処理に戻り、以降の処理を前述と同様に行なうが、残容量は十分でないと判定すると（ステップＳ６９でＮＯ）、後述のステップＳ７３の処理に移行する。
【００７３】
一方、家庭用録画機６００では、ＣＰＵ６０１は、記録媒体６０６から読出した残容量データに基づき、メモリ６０２から読出したＨＤＤ残容量閾値データ９０５とを比較し、比較結果に基づき（記録媒体６０６の現在の残容量データ≦残容量閾値データ９０５）であると判定すると（ステップＴ４１でＹＥＳ）、撮影データを受信して録画するという一連の動作を終了する（ステップＴ４３）。一方、比較結果に基づき（記録媒体の現在の残容量データ＞ＨＤＤ残容量閾値データ９０５）であると判定すると（ステップＴ４１でＮＯ）、ステップＴ２５の処理に戻り、以降の処理を前述と同様に繰返す。
【００７４】
ステップＳ６９で記録媒体６０６の残容量が十分にないと判定されると（ステップＳ６９でＮＯ）、ＣＰＵ５０７は、図６の処理に移行する。
【００７５】
図６では、まず、ＣＰＵ５０７は、データ退避回路部５０５からの撮影データの書込みおよび読出し、ならびに撮影データの転送動作を停止するように各部を制御する。これにより、撮影データ転送不可状態が設定される（ステップＳ７３）。
【００７６】
その後、記録媒体５１２の残容量がゼロとなるまで（ステップＳ７７でＹＥＳ）、撮影データが記録媒体５１２に格納されながら撮影動作は継続する（ステップＳ７５）。
【００７７】
記録媒体５１２の残容量がゼロを指すと判定されると（ステップＳ７７でＹＥＳ）、ＣＰＵ５０７は、再生回路部５１３を介してモニタ５１５に、記録媒体５１２の残容量がない旨のメッセージを出力し、撮影動作を終了する（ステップＳ７９）。
【００７８】
撮影動作終了後は、撮影回路部５０３から出力される映像データおよび音声データは記録媒体５１２には記録されないが、ＣＰＵ５０７の制御のもとに再生回路部５０３を介してモニタ５１５およびスピーカ５１４から出力される。
【００７９】
前述のステップＳ１１で記録媒体６０６の残容量が十分にないと判定されると（ステップＳ１１でＮＯ）、ＣＰＵ５０７は、記録媒体６０６の残容量が十分にない旨のメッセージをモニタ５１５に表示して図７の処理に移行する。
【００８０】
図７では、まず、ＣＰＵ５０７は、データ退避回路部５０５からの撮影データの書込みおよび読出し、ならびに撮影データの転送動作を停止するように各部を制御する。これにより、撮影データ転送不可状態が設定される（ステップＳ８３）。
【００８１】
その後、撮影をするか否かを判定する（ステップＳ８５）。これは、ＣＰＵ５０７が、入力部５０８を介してユーザが撮影開始の指示を入力をしたか否かにより判定する。撮影開始指示が入力されたと判定されると（ステップＳ８５でＮＯ）、一連の処理は終了する。撮影開始指示が入力されたと判定されると（ステップＳ８５でＹＥＳ）、記録媒体５１２の残容量がゼロとなるまで、撮影動作と撮影データの記録媒体５１２への記録が行なわれる（ステップＳ８７でＮＯ、Ｓ８９およびＳ９１）。撮影データの記録により、記録媒体５１２の残容量がゼロになったと判定されると（Ｓ８７でＹＥＳ）、一連の撮影動作は終了する。撮影動作終了後は、撮影回路部５０３から出力される映像データおよび音声データは記録媒体５１２には記録されないが、ＣＰＵ５０７の制御のもとに再生回路部５０３を介してモニタ５１５およびスピーカ５１４から出力される。
【００８２】
図８を参照して、データ退避回路部５０５から読出された撮影データの転送パケット７００について説明する。撮影データは、上述したようにチャプタサイズデータ８０５（または９０４）分の１群のデータとして家庭用録画機６００へ転送される。当該１群のデータを構成する単位データＤは、パケット７００に格納されて送信される。データＤは、データ退避回路部５０５に１回のアクセスで読み書きされる撮影データの単位を指し、前述したように当該撮影データには撮影時間情報が付されており、撮影データを読書きする毎に付される撮影時間情報が読書きされる。
【００８３】
パケット７００は、ＣＰＵ５０７により生成されて、生成されたパケット７００は、インターフェィス回路５１０および入出力回路部５１１を介して転送される。
【００８４】
パケット７００は、メモリ５０９から読出した自己アドレス８０１を示す送信元情報ＯＲを格納するためのフィールドＦ１、メモリ５０９から読出した相手アドレス８０３を指示する送信先情報ＤＴを格納するためのフィールドＦ２、識別データＩＤとポインタデータＰＯを格納するためのフィールドＦ３、フィールドＦ４、フィールドＦ６の撮影データに付されている撮影時間を指す時間情報ＴＭを格納するためのフィールドＦ５、およびデータＤを格納するフィールドＦ６からなる。
【００８５】
識別データＩＤは対応のフィールドＦ６のデータＤを一意に識別するためのデータである。ポインタデータＰＯは、次位のデータＤの識別データＩＤを指示するデータである。次位のデータＤとは、撮影時間の経過に従いデータＤを並べた場合には、或るデータＤの直後に位置するデータＤを指す。
【００８６】
フィールドＦ４には開始情報ＳＴ、継続情報ＣＮおよび終端情報ＥＮのいずれかが格納される。開始情報ＳＴは、対応のフィールドＦ６のデータＤが、チャプタを構成する１群のデータＤのうち撮影時間情報が最も過去を指すデータであることを指示する。終端情報ＥＮは、対応のフィールドＦ６のデータＤが、チャプタを構成する１群のデータＤのうち撮影時間情報が最も直近を指すデータであることを指示する。継続情報ＣＮは、対応のフィールドＦ６のデータＤが、チャプタを構成する１群のデータＤのうち開始情報ＳＴと終端情報ＥＮとの間でチャプタを形成するデータであることを指示する。
【００８７】
受信側の家庭用録画機６００では、ビデオカメラ５００から受信したパケット７００のうちデータＤは、対応のフィールドＦ３〜Ｆ５の情報が関連付けされて記録媒体６０６に格納される。したがって、撮影動作を終了した後に、家庭用録画機６００において、記録媒体６０６の撮影データを読出してチャプタを編集する場合には、ＣＰＵ６０１は、フィールドＦ４とＦ５の情報に基づきデータＤを記録媒体６０６から読出し表示する、または編集することで、撮影時間の順番に従い読出し・表示・編集ができる。または、フィールドＦ３のポインタデータＰＯにより、チャプタを構成する次位のデータＤを特定することができるので、ＣＰＵ６０１は、フィールドＦ３とＦ５の情報に基づきデータＤを記録媒体６０６から読出し表示する、または編集することで、撮影時間の順番に従い読出し・表示・編集ができる。
【００８８】
また、ユーザは、上述のように編集がされたチャプタを入力部１２２を操作して、またチャプタ映像の表示画面を見ながら、複数のチャプタを所望するように並び替えたりして１このタイトルに編集することもできる。このタイトル編集時にも、表示画面には撮影時間情報を表示するようにすれば、ユーザの編集作業が容易となる。
【００８９】
図９には、本実施の形態に係る録画システムの外観が示される。ビデオカメラ５００と無線通信する家庭用録画機６００には、ケーブル４０３を介してモニタ４０２に相当するテレビ４００が接続されている。家庭用録画機６００には、その前面に操作部（入力部１２２に相当）が設けられ、表示部１２８および無線信号送受信のための無線部１２４を有する。家庭用録画機６００がＤＶＤの駆動装置を有する場合には、図示されないＤＶＤを挿入したり取出したりするための取出口１７１が形成される。
【００９０】
なお、本実施の形態では、撮影動作を行ないながら家庭用録画機６００に撮影データを無線通信により転送する装置をビデオカメラ５００としているが、これに限定されない。たとえば、カメラを有した携帯型電話機などの撮影機能を有した情報端末であってもよい。
【００９１】
本実施の形態では、無線のデータ転送単位はチャプタ単位で行なうとするが、家庭用録画機６００の編集能力または受信能力に応じてチャプタサイズが決まるものとする。または、チャプタサイズは、無線通信路の状況に応じて決めてもよい。たとえば、家庭用録画機６００の入出力回路部６０８は通信路のノイズ指数を検知する機能を有して、データ転送開始時に通信路のノイズ指数を検知する。そして、ノイズ指数が所定レベルを超えて高い場合には、ステップＴ３でビデオカメラ５００に送信するチャプタサイズデータをチャプタサイズデータ９０４が指す値よりも小さくする。これにより、伝送路上で転送データにノイズの影響が出る確率を低くすることができる。ノイズ指数が所定レベル以下を指して低い場合には、当初のチャプタサイズデータ９０４をビデオカメラ５００に送信してデータ転送を行なう。
【００９２】
本実施の形態によれば、ビデオカメラ５００において撮影データを高解像度で記録媒体５１２に録画しようとすれば、記録媒体５１２の記憶容量を消費しやすい。そこで、撮影データを記録媒体５１２に格納するのに代替して、撮影動作に並行して撮影データを家庭用録画機６００に転送して記録媒体６０６に格納することにより、記録媒体５１２の残容量を気にすること無く（ＤＶＤのチェンジによる撮影中断もなく）解像度を維持しながら撮影データを録画することができる。
【００９３】
また、本実施の形態では、無線によるデータ転送をしているが、無線通信は有線通信に比較して通信路に雑音（ノイズ）が混入しやすく通信が阻害されやすい。そこで本実施の形態では、ステップＳ５５の判定により通信状態が良好でないと判定したときは、データ転送を中断するようにしていたが、次のようにしてもよい。つまり、データ退避回路部５０５には転送されたデータがその後も格納されているので、通信状態が良好でないと判定した時には、良好に回復したときにデータ退避回路部５０５から再度データを読出して再送信するようにしてもよい。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】この発明の実施の形態に係る録画システムの機能構成図である。
【図２】この発明の実施の形態に係るビデオカメラのメモリの一部内容例を示す図である。
【図３】この発明の実施の形態に係る家庭用録画機のメモリの一部内容例を示す図である。
【図４】この発明の実施の形態に係る処理フローチャートである。
【図５】この発明の実施の形態に係る処理フローチャートである。
【図６】この発明の実施の形態に係る処理フローチャートである。
【図７】この発明の実施の形態に係る処理フローチャートである。
【図８】この発明の実施の形態に係るデータパケットを示す図である。
【図９】この発明の実施の形態に係る録画システムの外観を示す図である。
【符号の説明】
【００９６】
５００  ビデオカメラ、６００  家庭用録画機、５０７，６０１  ＣＰＵ、５０５  データ退避回路部、５１１，６０８  入出力回路部、５１６，６０９  無線通信部、５１２  記録媒体（ＤＶＤ）、６０６  記録媒体（ＨＤＤ）。
【図１】
2008124814.tif 000003
【図２】
2008124814.tif 000004
【図３】
2008124814.tif 000005
【図４】
2008124814.tif 000006
【図５】
2008124814.tif 000007
【図６】
2008124814.tif 000008
【図７】
2008124814.tif 000009
【図８】
2008124814.tif 000010
【図９】
2008124814.tif 000011